(57)【要約】      （修正有）【課題】従来のブルーシートによる防護の不完全さを鑑みて、扇状に開閉自在のテントに形成することで、設置、片付けの簡便さ、害鳥からの保護、悪臭の防護、それに伴う環境美化を提供する。【解決手段】防水布地で加工するテント、アルミパイプ支柱材、アルミバー材、アルミ板曲げ加工材、各種ボルト、アルミジョイント金具の組立によって制作する。軽量で、収納容積が自在であり、組立が簡単なので、力のないお年寄りにも簡単に設置、片付けができる。【選択図】図６
2007044028.tif 000002
【特許請求の範囲】
【請求項１】
各自治会において隔日ごとに出される、廃棄物（生ゴミ）を覆うブルーシートの改良品であって、アルミパイプ支柱を主体とした各アルミ部材と支柱を支えるアルミ支点材、アルミ支点材の幅を保つためのアルミバーによって組み立てた本体に、防水効果のある布地加工のテントを覆うことによって、折りたたみが出来ることを特徴とする生ゴミ防護テント。
【請求項２】
扇状に形成するアルミ支点材と、テントを支えるアルミパイプ支柱は、折りたたみを自在にするための通しボルトによって固定する、又、アルミパイプを挟むために逆コの字に加工した扇状のアルミ支点材は、アルミパイプを挟む状態にして、ボルトによって固定する生ゴミ防護テント。
【請求項３】
テントとアルミパイプ支柱は紐で固定する、又、テントと紐との結び方は、アルミパイプ支柱とテントが接する部分にテントの裏地（ハトメ加工）を縫い付け、これに紐を通してアルミパイプに結び付ける、この際アルミパイプ支柱は、テント内側を均等に４分割した所に配置する生ゴミ防護テント。
【発明の詳細な説明】
【発明の技術分野】
【０００１】  本発明は、各自治会において隔日ごとに出される生ゴミを害鳥から保護するブルーシートの改良テントであり、扇状に折りたたみが出来ることで、設置、取り込みが迅速にできる。
【背景技術】
【０００２】  周知のとおり、家庭から出される生ゴミの防護は、ブルーシートで防護することが主流であり其の周囲にはシートを押さえるために色々な錘を載せることで害鳥の侵入、あるいは風で飛ばされないように保護されている。【０００３】  しかし、このようなやり方は、隙間からカラスなどの害鳥が生ゴミをつつきだして廻りの美化問題に支障をきたし悪臭を放っているのが現状である。又、雨、雪、風の日のビニールシートの設置は大変困難でありなおかつ収集後のシートの片付け、水洗いなどにも支障をきたしている。【０００４】  記載すべき先行技術文献調査に関して、生ゴミの防護機器、保護用器具、等等調査したが、生ゴミに関する処理機器、装置カバーとしてアルミカバー、クリーンルーム、等はあるがテント式の防護機器は見当たらない。
【特許文献】  見当たらない。
【非特許文献】
【発明の開示】
【発明が解決しようとする課題】
【０００５】  本発明は、従来利用されているブルーシートの難点である、設置、あと片付け風による吹き上げ、それに伴う美化、等々の問題点があることを鑑みて試されたものである。
【課題を解決するための手段】
【０００６】  本発明者が上記技術的課題を解決するために採用した手段を、添え付け図面を参照して説明すれば、次の通りである。【０００７】  即ち本発明の生ゴミ防護テントは、図１に示すテントの符号ａ−ｅが図２の骨組みに記す符号ａ−ｅにかぶせる状態で収まることを示す、図１のテントと図２に示すアルミパイプ支柱とはそれぞれ紐で結んで固定する。【０００８】  アルミパイプ支柱が接するテント内側部分には、紐を通す布地を縫い付ける、其の布地には紐を通すためのハトメを取り付けこれに紐を通す、又、骨組み部材は、単一のアルミパイプ部材、それを繋ぐアルミジョイント部材、アルミバー材、アルミ支点材，の組立形態とする。【０００９】  図１のテントと、図２の骨組みは各部材ごとに紐で固定する、図１において支柱になるアルミパイプ材と屋根面になるアルミパイプ材とはそれぞれ部材長さは同一である、符号、ａ−ｅ、ｅ−ｅ、ｅ−ａ、ａ−ａ、においては設置地盤との間に隙間が出来やすい、よって符号部分の紐を通す裏地はテントの先端部がはみ出るように縫い付ける、又、テント自体についてもはみ出る分長く加工形成する。
【発明の効果】
【００１０】  本発明は、従来のブルーシートによる防護の不完全さを鑑みて、扇状に開閉自在のテントに形成することで、設置、片付けの簡便さ、害鳥からの保護、悪臭の防護、それに伴う環境美化を提供する。【００１１】  本発明は、防護テントに防水布地を施していることから悪臭や汚れがつきにくく水洗いにも効果がある、骨組みはアルミ製品であることから軽量かつ外力に対し変形し難い、開閉については支点を中心に左右どちらからでも自由である、生ゴミ収集後の片付けが迅速であり収集車に与える時間のロスが少ない。
【発明を実施するための最良の形態】
【実施例】  以下、本発明を添え付け図面に示す実施形態に基づいて更に詳しく説明する。図３は、本発明の生ゴミ防護テントの支点部材符号１を内側から示した実施例である、同図の符号１は、符号３に示すアルミパイプ支柱を取り付ける要となる部分明細書である、符号１に示す支点部材は、アルミパイプ支柱符号３を挟んで回転自在になるように符号４に示すボルトで取り付ける。【００１２】  図４は、両側面の支点部材符号１が、テント内において生ごみから受ける側圧によって開かない事を目的とした符号２に示すアルミバー材と、其の固定方法を示した図である、両部材は符号５に示すタッピングによって固定する、又、タッピングするうえで符号１に示す部材の裏面にはタッピング用の裏板をあらかじめ溶接することで、より強固に固定する。【００１３】  図５は符号１に示すアルミ支点部材と符号３に示すアルミパイプ支柱の組立図を示すものである、符号１の部材に符号３の部材を挟む状態で、符号４に示す片側ボルトを差し込んでテントの内面でボルト締めする、符号１の部材とボルトの間にはスプリングをはめてナットの戻りをなくす。【００１４】  また符合３に示す部材と符号１に示す部材にはボルトの径よりも１ミリ程度のクリヤランスをもうけ符号３の部材が回転可能にする。【００１５】  図６は、各アルミパイプ部材によって組み立てたテント下地に、符号６に示すテントをかぶせるように取り付けた完成図を示すものである。【００１６】  図７は、符号１に示すアルミ支点部材と、符号２に示すアルミバー材、それに符号３に示すアルミパイプ支柱、を組み立てた構造図である、又、それぞれのアルミパイプは、支柱になる部材と、屋根面になる部材をそれぞれの単一材にすることで製品の大きさを変えることが可能である、このように規格化したアルミパイプをＬ型のジョイント部材で接合することは任意の製品を求められることを視野に入れてのことである。【００１７】  図８はテントとして利用された場合これを開いた様子を示すものであり符号６で示すように、布地は制作段階で内側にたためるように折り目をつけて加工にする。【００１７】  図９は製品を折りたたんだ状態を示す、完成図でありこの状態で持ち運び出来る。【００１８】  図１０は、符号３に示すアルミパイプ支柱にテントを取り付ける詳細図であり、符号７は、符号６に紐を通すためのハトメをつけた裏地を縫いつけて紐で符号３に固定する。【００１９】  図１１はテントを支柱に紐で固定したところを示す見上げ図である。
【図面の簡単な説明】
【００２０】
【図１】本発明の防護テント。
【図２】アルミパイプ組立図。
【図３】アルミ支点部材詳細図。
【図４】支点部材と繋ぎ部材の取り付け詳細図。
【図５】アルミ支柱取り付け詳細図。
【図６】テント下地（アルミパイプ）配置図（側面図）。
【図７】テント下地（アルミパイプ）組み立てず（正面図）。
【図８】テント（製品）開閉図
【図９】テント（製品）折りたたみ図
【図１０】テント布地と紐の取り付け図
【図１１】テント内見上げ図
【符号の説明】
【００２０】  １  アルミ支点部材
２  アルミ繋ぎ部材
３  アルミパイプ支柱及び屋根面テント受けアルミパイプ
４  アルミパイプ支柱取り付ボルト
５  タッピング
６  テント
７  テント通し紐用裏地
８  テントとめ紐
【図１】
2007044028.tif 000003
【図２】
2007044028.tif 000004
【図３】
2007044028.tif 000005
【図４】
2007044028.tif 000006
【図５】
2007044028.tif 000007
【図６】
2007044028.tif 000008
【図７】
2007044028.tif 000009
【図８】
2007044028.tif 000010
【図９】
2007044028.tif 000011
【図１０】
2007044028.tif 000012
【手続補正書】
【提出日】平成17年10月5日(2005.10.5)
【手続補正３】
【補正対象書類名】明細書
【補正対象項目名】００２０
【補正方法】変更
【補正の内容】
【００２０】
【図１】  本発明の防護テント。
【図２】  アルミパイプ（又は、ステンレスパイプ）組立図。
【図３】  アルミ（又は、ステンレス）支点部材詳細図。
【図４】  支点部材と繋ぎ部材の取り付け詳細図。
【図５】  アルミ（又は、ステンレス）支柱取り付け詳細図。
【図６】  テント下地（アルミ又はステンレスパイプ）配置図（側面図）。
【図７】  テント下地（アルミ又はステンレスパイプ）組立図（正面図）。
【図８】  テント（製品）開閉図。
【図９】  テント（製品）折りたたみ図。
【図１０】  テント布地と紐の取り付け図。